【手続補正書】
【提出日】平成17年1月19日(2005.1.19)
【手続補正１】
【補正対象書類名】明細書
【補正対象項目名】特許請求の範囲
【補正方法】変更
【補正の内容】
【特許請求の範囲】
【請求項１】
陽極と陰極との間に有機化合物膜を有し、
前記有機化合物膜は、正孔輸送材料から成る正孔輸送領域と、青色発光材料から成る発光領域と、電子輸送材料から成る電子輸送領域と、を含み、
前記正孔輸送領域と、前記発光領域と、前記電子輸送領域とは、前記陽極から前記陰極への方向に順次設けられ、
前記正孔輸送領域と前記発光領域との間には、前記正孔輸送材料と前記青色発光材料とを含む第１の混合領域と、前記電子輸送材料と前記青色発光材料とを含む第２の混合領域とが設けられている
ことを特徴とする有機発光素子。
【請求項２】
陽極と陰極との間に有機化合物膜を有し、
前記有機化合物膜は、正孔輸送材料から成る正孔輸送領域と、ホスト材料に青色発光材料が添加されて成る発光領域と、電子輸送材料から成る電子輸送領域と、を含み、
前記正孔輸送領域と、前記発光領域と、前記電子輸送領域とは、前記陽極から前記陰極への方向に順次設けられ、
前記正孔輸送領域と前記発光領域との間には、前記正孔輸送材料と前記ホスト材料とを含む第１の混合領域と、前記電子輸送材料と前記ホスト材料とを含む第２の混合領域とが設けられている
ことを特徴とする有機発光素子。
【請求項３】
陽極と陰極との間に有機化合物膜を有し、
前記有機化合物膜は、正孔輸送材料から成る正孔輸送領域と、第１の発光材料から成る発光領域と、電子輸送材料から成る電子輸送領域と、を含み、
前記正孔輸送領域と、前記発光領域と、前記電子輸送領域とは、前記陽極から前記陰極への方向に順次設けられ、
前記正孔輸送領域と前記発光領域との間には、前記正孔輸送材料と前記第１の発光材料とを含む第１の混合領域と、前記電子輸送材料と前記第１の発光材料とを含む第２の混合領域とが設けられ、
前記発光領域の一部には第２の発光材料が添加され、
前記第１の発光材料は青色の発光を呈する材料であり、
前記第２の発光材料は前記第１の発光材料よりも長波長の発光を呈する材料であり、
前記第１の発光材料からの発光と、前記第２の発光材料とからの発光とが同時に取り出される
ことを特徴とする有機発光素子。
【請求項４】
陽極と陰極との間に有機化合物膜を有し、
前記有機化合物膜は、正孔輸送材料から成る正孔輸送領域と、第１の発光材料から成る発光領域と、電子輸送材料から成る電子輸送領域と、を含み、
前記正孔輸送領域と、前記発光領域と、前記電子輸送領域とは、前記陽極から前記陰極への方向に順次設けられ、
前記正孔輸送領域と前記発光領域との間には、前記正孔輸送材料と前記第１の発光材料とを含む第１の混合領域と、前記電子輸送材料と前記第１の発光材料とを含む第２の混合領域とが設けられ、
前記第１の混合領域または前記第２の混合領域のいずれか一方に第２の発光材料を含み、
前記第１の発光材料は青色の発光を呈する材料であり、
前記第２の発光材料は前記第１の発光材料よりも長波長の発光を呈する材料であり、
前記第１の発光材料からの発光と、前記第２の発光材料とからの発光とが同時に取り出される
ことを特徴とする有機発光素子。
【請求項５】
陽極と陰極との間に有機化合物膜を有し、
前記有機化合物膜は、正孔輸送材料から成る正孔輸送領域と、第１の発光材料から成る発光領域と、電子輸送材料から成る電子輸送領域と、を含み、
前記正孔輸送領域と、前記発光領域と、前記電子輸送領域とは、前記陽極から前記陰極への方向に順次設けられ、
前記正孔輸送領域と前記発光領域との間には、前記正孔輸送材料と前記第１の発光材料とを含む第１の混合領域と、前記電子輸送材料と前記第１の発光材料とを含む第２の混合領域とが設けられ、
前記第１の混合領域または前記第２の混合領域のいずれか一方に第２の発光材料を含み、他方に第３の発光材料を含み、
前記第１の発光材料は青色の発光を呈する材料であり、
前記第２の発光材料は前記第１の発光材料よりも長波長の発光を呈する材料であり、
前記第３の発光材料は前記第２の発光材料よりも長波長の発光を呈する材料であり、
前記第１の発光材料からの発光と、前記第２の発光材料とからの発光と、前記第３の発光材料からの発光とが同時に取り出される
ことを特徴とする有機発光素子。
【請求項６】
前記第１の発光材料は青色を呈する材料であり、前記第２の発光材料は緑色を呈する材料であり、前記第３の発光材料は赤色を呈する材料であることを特徴とする請求項５に記載の有機発光素子。
【請求項７】
陽極と陰極との間に有機化合物膜を有し、
前記有機化合物膜は、正孔輸送材料から成る正孔輸送領域と、電子輸送材料から成る電子輸送領域と、前記正孔輸送材料と前記電子輸送材料とを含む混合領域とを含み、
前記正孔輸送領域と、前記混合領域と、前記電子輸送領域とは、前記陽極から前記陰極への方向に順次設けられ、
前記正孔輸送材料または前記電子輸送材料のいずれかは青色の発光を呈する
ことを特徴とする有機発光素子。
【請求項８】
陽極と陰極との間に有機化合物膜を有し、
前記有機化合物膜は、正孔輸送材料から成る正孔輸送領域と、電子輸送材料から成る電子輸送領域と、前記正孔輸送材料と前記電子輸送材料とを含む混合領域とを含み、
前記正孔輸送領域と、前記混合領域と、前記電子輸送領域とは、前記陽極から前記陰極への方向に順次設けられ、
前記混合領域は青色の発光を呈する発光材料を含む
ことを特徴とする有機発光素子。
【請求項９】
陽極と陰極との間に有機化合物膜を有し、
前記有機化合物膜は、正孔輸送材料から成る正孔輸送領域と、電子輸送材料から成る電子輸送領域と、前記正孔輸送材料と前記電子輸送材料とを含む混合領域とを含み、
前記正孔輸送領域と、前記混合領域と、前記電子輸送領域とは、前記陽極から前記陰極への方向に順次設けられ、
前記正孔輸送材料または前記電子輸送材料のいずれかは青色の発光を呈し、
前記混合領域の一部には、前記正孔輸送材料と前記電子輸送材料のうち青色の発光を呈する方の材料よりも長波長の発光を呈する発光材料が含まれている
ことを特徴とする有機発光素子。
【請求項１０】
陽極と陰極との間に有機化合物膜を有し、
前記有機化合物膜は、正孔輸送材料から成る正孔輸送領域と、電子輸送材料から成る電子輸送領域と、前記正孔輸送材料と前記電子輸送材料とを含む混合領域とを含み、
前記正孔輸送領域と、前記混合領域と、前記電子輸送領域とは、前記陽極から前記陰極への方向に順次設けられ、
前記正孔輸送材料または前記電子輸送材料のいずれかは青色の発光を呈し、
前記混合領域の一部には、前記正孔輸送材料と前記電子輸送材料のうち青色の発光を呈する方の材料よりも長波長の発光を呈する第１の発光材料と、前記第１の発光材料よりも長波長の発光を呈する第２の発光材料とが含まれている
ことを特徴とする有機発光素子。
【請求項１１】
陽極と陰極との間に有機化合物膜を有し、
前記有機化合物膜は、正孔輸送材料から成る正孔輸送領域と、電子輸送材料から成る電子輸送領域と、前記正孔輸送材料と前記電子輸送材料とを含む混合領域とを含み、
前記正孔輸送領域と、前記混合領域と、前記電子輸送領域とは、前記陽極から前記陰極への方向に順次設けられ、
前記正孔輸送材料または前記電子輸送材料のいずれかは青色の発光を呈し、
前記正孔輸送層または前記電子輸送層のいずれか一方には第１の発光材料が含まれ、他方には第２の発光材料が含まれ、
前記第１の発光材料は、前記正孔輸送材料または前記電子輸送材料のうち青色発光を呈する方の材料よりも長波長の発光を呈し、
前記第２の発光材料は、前記第１の発光材料よりも長波長の発光を呈する
ことを特徴とする有機発光素子。
【請求項１２】
請求項１または請求項２、請求項７、請求項８のいずれか一項に記載の有機発光素子を有し、
前記有機発光素子からの青色の光を吸収し、緑色若しくは赤色の光を放出することができる蛍光材料から成る部材が、前記有機発光素子からの発光の光路上に設けられていることを特徴とする表示装置。
【請求項１３】
請求項３乃至請求項８のいずれか一項または請求項９乃至請求項１１のいずれか一項に記載の有機発光素子からの発光の光路上にカラーフィルターが設けられていることを特徴する表示装置。
【請求項１４】
請求項１２または請求項１３に記載の表示装置が表示部に組み込まれていることを特徴とする電気器具。